(57)【要約】【課題】データレートの低下を抑え、効率的にピーク電力を所望の値に抑えつつデータレートの最適化を行う。【解決手段】サブキャリア識別器１０−２は、ＩＦＦＴ後のピーク電力が所定のピーク電力閾値以下となるまで、順次、データを割り当てないサブキャリア数を増加しながら、各サブキャリアのＣＩＮＲに基づいて、ＮＤＢ−ＳＣを挿入するサブキャリア数及びサブキャリア位置、データレートを補正するサブキャリア位置を決定する。ピーク抑圧信号生成器１０−３は、挿入するピーク抑圧信号を生成し、適応変調器１０−１は、指定されたサブキャリアにおいて適応変調を行う。ＮＤＢ−ＳＣ挿入部１０−４は、サブキャリア数及びサブキャリア位置に基づいて、ピーク抑圧信号をＮＤＢ−ＳＣ位置に挿入する。【選択図】図１
2010171738.tif 000002
【特許請求の範囲】
【請求項１】
ＯＦＤＭを用いた、逆フーリエ変換後の信号のピーク値を抑圧しつつ通信を行う無線通信装置であって、
前記逆フーリエ変換後の信号のピーク電力を算出するピーク電力算出手段と、
前記ピーク電力が所定のピーク電力閾値以下となるまで、順次、データを割り当てないサブキャリア（ＮＤＢ−ＳＣ）数を増加しながら、各サブキャリアのチャネル状態に基づいて、ＮＤＢ−ＳＣを挿入するサブキャリア位置を決定するサブキャリア識別手段と、
前記ＮＤＢ−ＳＣのサブキャリア位置に基づいて、ＮＤＢ−ＳＣ以外のサブキャリアでデータの適応変調を行う適応変調手段と、
前記ＮＤＢ−ＳＣのサブキャリア数及びサブキャリア位置と前記適応変調の結果の変調信号とに基づいて、ピーク抑圧信号を生成するピーク抑圧信号生成手段と、
前記適応変調された各サブキャリアの変調信号に対し、前記ピーク抑圧信号をＮＤＢ−ＳＣ位置に挿入し、逆フーリエ変換の入力側へ出力する挿入手段と、
を備えることを特徴とする無線通信装置。
【請求項２】
前記サブキャリア識別手段は、各サブキャリアのチャネル状態としてＣＩＮＲが低いサブキャリアを、ＮＤＢ−ＳＣとして選択することを特徴とする請求項１記載の無線通信装置。
【請求項３】
前記サブキャリア識別手段は、各サブキャリアのチャネル状態に基づいて、データレートを補正するサブキャリア位置を決定し、その際、各サブキャリアのチャネル状態としてＣＩＮＲの高いサブキャリアから順次、所望のビット誤り率を満たす最大の変調多値数まで変調多値数を増加させることを特徴とする請求項１記載の無線通信装置。
【請求項４】
前記サブキャリア識別手段は、ＮＤＢ−ＳＣの数を固定とし、ＮＤＢ−ＳＣを挿入するサブキャリア位置を適応的に変化させることを特徴とする請求項３記載の無線通信装置。
【請求項５】
前記サブキャリア識別手段は、ＮＤＢ−ＳＣの数を固定とし、ＮＤＢ−ＳＣを、可変長のブロックに分割し、該分割した各ブロックの挿入位置を適応的に変化させることを特徴とする請求項３記載の無線通信装置。
【請求項６】
ＯＦＤＭを用いた、逆フーリエ変換後の信号のピーク値を抑圧しつつ通信を行う通信方法であって、
前記逆フーリエ変換後の信号のピーク電力を算出するステップと、
前記ピーク電力が所定のピーク電力閾値以下となるまで、順次、データを割り当てないサブキャリア（ＮＤＢ−ＳＣ）数を増加しながら、各サブキャリアのチャネル状態に基づいて、ＮＤＢ−ＳＣを挿入するサブキャリア位置を決定するステップと、
前記ＮＤＢ−ＳＣのサブキャリア位置に基づいて、ＮＤＢ−ＳＣ以外のサブキャリアでデータの適応変調を行うステップと、
前記ＮＤＢ−ＳＣのサブキャリア数及びサブキャリア位置と前記適応変調の結果の変調信号とに基づいて、ピーク抑圧信号を生成するステップと、
前記適応変調された各サブキャリアの変調信号に対し、前記ピーク抑圧信号をＮＤＢ−ＳＣ位置に挿入し、逆フーリエ変換の入力側へ出力するステップと、
を含むことを特徴とする通信方法。
【発明の詳細な説明】
【技術分野】
【０００１】
本発明は、ＯＦＤＭ（Orthogonal Frequency Division Multiplexing：直交波周波数分割多重）方式を用いる無線通信装置、及び通信方法に関する。
【背景技術】
【０００２】
ＯＦＤＭ送信機において、ピーク電力を低減する手法としては、図７に示すように、データを割り当てないサブキャリア（以下、ＮＤＢ−ＳＣ：Non Data Bearing Subcarrier）をピーク抑圧信号生成器３で予め用意し、逆高速フーリエ変換器４での逆高速フーリエ変換後の信号がデータサブキャリアのピークを抑圧するように、逆高速フーリエ変換器４にＮＤＢ−ＳＣを挿入し、情報ビットの変調器１での変調、直並列変換器２でのシリアル／パラレル変換、逆高速フーリエ変換器４での逆高速フーリエ変換、並直列変換器５でのパラレル／シリアル変換、ＧＩ挿入部６でのガードインターバルの挿入後、信号を送信する方法が知られている。
【０００３】
この手法は、他のピーク電力低減手法と比較して、（１）クリッピング、及びフィルタリングにより生じる帯域内外への干渉を生じない、（２）送信側でピークを低減するように最適化された各サブキャリアの位相回転に関する情報を、受信側で復調を行うためのサイドインフォメーションとして送信する必要がない等の利点を有する。
【０００４】
非特許文献１による従来技術では、図８に示すように、逆高速フーリエ変換後の信号がピーク値をキャンセルするように、ＮＤＢ−ＳＣに挿入する信号を推定して挿入する。信号の推定手法としては、射影勾配法や、凸射影法など、様々な方法が考えられている。
【０００５】
また、非特許文献２による従来技術では、ピーク電力が最小になる変調シンボル（ダミー系列）を複数候補の中から選択し、ＮＤＢ−ＳＣに挿入する。
【０００６】
一方、特許文献１による従来技術では、ＯＦＤＭのデータレートを最適化するために、各サブキャリアのチャネル状態（ＣＩＮＲ：Carrier to Interference and Noise Ratio）を基準に、変調方式を適応的に変化させるサブキャリア適応変調方式が提案されている。
【先行技術文献】
【特許文献】
【０００７】
【特許文献１】特開２００３−３０４２１４号公報
【非特許文献】
【０００８】
【非特許文献１】B. S. Krongol et al., “An Active-set Approach for OFDM PAR Reduction via Tone Reservation,” IEEE Transactions on Signal Processing, vol. 52, no. 2, Feb. 2004.
【非特許文献２】Heung-Gyoon Ryu et al., “Dummy Sequence Insertion for PAPR Reduction in the OFDM Communication System,” IEEE Transactions on Consumer Electronics, vol. 50, no. 1, Feb. 2004.
【発明の概要】
【発明が解決しようとする課題】
【０００９】
しかしながら、上述したＮＤＢ−ＳＣを用いるピーク電力抑圧手法は、データを割り当てないサブキャリアを用いるために、データレートが低下するという問題がある。また、ＮＤＢ−ＳＣとして用いるサブキャリアの数が固定であるために、ピーク電力が所望の値に収まるような場合や、ピーク抑圧用に予め決められている数程、多く必要としない場合においては、冗長にＮＤＢ−ＳＣを用いることとなる。
【００１０】
一方、特許文献１による従来技術では、ピーク電力に関して考慮していないため、従来のＯＦＤＭ技術と同様に、電力増幅器のバックオフを大きくとる必要があり、電力効率が劣化するという問題がある。また、同技術に対し、非特許文献１や、非特許文献２による従来技術を適用する場合、ＮＤＢ−ＳＣ位置が時間的に固定であるため、ＮＤＢ−ＳＣ以外のサブキャリアのみで変調多値数の制御を行う必要があるという問題がある。
【００１１】
本発明は、このような事情を考慮してなされたものであり、その目的は、データレートの低下を抑えることができ、効率的にピーク電力を所望の値に抑えつつデータレートの最適化を行うことができる無線通信装置、及び通信方法を提供することにある。
【課題を解決するための手段】
【００１２】
上述した課題を解決するために、本発明に係る無線通信装置は、ＯＦＤＭを用いた、逆フーリエ変換後の信号のピーク値を抑圧しつつ通信を行う無線通信装置であって、前記逆フーリエ変換後の信号のピーク電力を算出するピーク電力算出手段と、前記ピーク電力が所定のピーク電力閾値以下となるまで、順次、データを割り当てないサブキャリア（ＮＤＢ−ＳＣ）数を増加しながら、各サブキャリアのチャネル状態に基づいて、ＮＤＢ−ＳＣを挿入するサブキャリア位置を決定するサブキャリア識別手段と、前記ＮＤＢ−ＳＣのサブキャリア位置に基づいて、ＮＤＢ−ＳＣ以外のサブキャリアでデータの適応変調を行う適応変調手段と、前記ＮＤＢ−ＳＣのサブキャリア数及びサブキャリア位置と前記適応変調の結果の変調信号とに基づいて、ピーク抑圧信号を生成するピーク抑圧信号生成手段と、前記適応変調された各サブキャリアの変調信号に対し、前記ピーク抑圧信号をＮＤＢ−ＳＣ位置に挿入し、逆フーリエ変換の入力側へ出力する挿入手段と、を備えることを特徴とする。
【００１３】
本発明に係る無線通信装置においては、前記サブキャリア識別手段は、各サブキャリアのチャネル状態としてＣＩＮＲが低いサブキャリアを、ＮＤＢ−ＳＣとして選択することを特徴とする。
【００１４】
本発明に係る無線通信装置においては、前記サブキャリア識別手段は、各サブキャリアのチャネル状態に基づいて、データレートを補正するサブキャリア位置を決定し、その際、各サブキャリアのチャネル状態としてＣＩＮＲの高いサブキャリアから順次、所望のビット誤り率を満たす最大の変調多値数まで変調多値数を増加させることを特徴とする。
【００１５】
本発明に係る無線通信装置においては、前記サブキャリア識別手段は、ＮＤＢ−ＳＣの数を固定とし、ＮＤＢ−ＳＣを挿入するサブキャリア位置を適応的に変化させることを特徴とする。
【００１６】
本発明に係る無線通信装置においては、前記サブキャリア識別手段は、ＮＤＢ−ＳＣの数を固定とし、ＮＤＢ−ＳＣを、可変長のブロックに分割し、該分割した各ブロックの挿入位置を適応的に変化させることを特徴とする。
【００１７】
本発明に係る通信方法は、ＯＦＤＭを用いた、逆フーリエ変換後の信号のピーク値を抑圧しつつ通信を行う通信方法であって、前記逆フーリエ変換後の信号のピーク電力を算出するステップと、前記ピーク電力が所定のピーク電力閾値以下となるまで、順次、データを割り当てないサブキャリア（ＮＤＢ−ＳＣ）数を増加しながら、各サブキャリアのチャネル状態に基づいて、ＮＤＢ−ＳＣを挿入するサブキャリア位置を決定するステップと、前記ＮＤＢ−ＳＣのサブキャリア位置に基づいて、ＮＤＢ−ＳＣ以外のサブキャリアでデータの適応変調を行うステップと、前記ＮＤＢ−ＳＣのサブキャリア数及びサブキャリア位置と前記適応変調の結果の変調信号とに基づいて、ピーク抑圧信号を生成するステップと、前記適応変調された各サブキャリアの変調信号に対し、前記ピーク抑圧信号をＮＤＢ−ＳＣ位置に挿入し、逆フーリエ変換の入力側へ出力するステップと、を含むことを特徴とする。
【発明の効果】
【００１８】
この発明によれば、データレートの低下を抑えることができると共に、効率的にピーク電力を所望の値に抑えつつデータレートの最適化を行うことができるという効果が得られる。
【図面の簡単な説明】
【００１９】
【図１】本発明の実施形態による無線通信装置（送信機）の構成を示すブロック図である。
【図２】本実施形態による無線通信装置（送信機）の動作を説明するためのフローチャートである。
【図３】本実施形態による、データレート固定を適用した場合の動作を説明するためのフローチャートである。
【図４】本実施形態による、ＮＤＢ−ＳＣ数固定方式の動作を説明するためのフローチャートである。
【図５】本実施形態による、ＮＤＢ−ＳＣのブロック化を適用した場合の動作を説明するためのフローチャートである。
【図６】本実施形態による送信機に対応する受信機の構成を示すブロック図である。
【図７】従来技術によるＯＦＤＭ送信機の構成を示すブロック図である。
【図８】従来技術によるＯＦＤＭ送信機の動作の概要を説明するための概念図である。
【発明を実施するための形態】
【００２０】
以下、本発明の一実施形態を、図面を参照して説明する。
【００２１】
図１は、本発明の実施形態による無線通信装置（送信機）の構成を示すブロック図である。図１において、送信機は、サブキャリア制御部１０、直並列変換器１１、逆高速フーリエ変換器１２、並直列変換器１３、ピーク判定部１４、及びＧＩ挿入部１５を有する。サブキャリア制御部１０は、適応変調器１０−１、サブキャリア識別器１０−２、ピーク抑圧信号生成器１０−３、及びＮＤＢ−ＳＣ挿入部１０−４からなる。
【００２２】
適応変調器１０−１は、サブキャリア識別器１０−２から指定されたサブキャリアにおいて、情報ビットの適応変調を行う。サブキャリア識別器１０−２は、各サブキャリアのＣＩＮＲに基づいて、ＮＤＢ−ＳＣを挿入するサブキャリア数、サブキャリア位置、及びデータレートを補正するサブキャリア位置を決定する。ピーク抑圧信号生成器１０−３は、ＮＤＢ−ＳＣのサブキャリア数及びサブキャリア位置、並びに、適応変調器１０−１による適応変調の結果の変調信号に基づいて、ＮＤＢ−ＳＣに挿入するピーク抑圧信号を生成し、ＮＤＢ−ＳＣ挿入部１０−４に供給する。ＮＤＢ−ＳＣ挿入部１０−４は、適応変調器１０−１から出力された各サブキャリアの変調信号に対し、ピーク抑圧信号をＮＤＢ−ＳＣ位置に挿入する。
【００２３】
直並列変換器１１は、ピーク抑圧信号挿入後の各サブキャリアの信号をシリアル／パラレル変換し、逆高速フーリエ変換器１２は、逆高速フーリエ変換（ＩＦＦＴ）し、並直列変換器１３は、パラレル／シリアル変換する。ピーク判定部１４は、ＩＦＦＴ後の信号のピーク値を判定し、該ピーク値をサブキャリア識別器１０−２に供給する。サブキャリア識別器１０−２は、該ピーク値が所望のピーク電力Ｐｔｈｒよりも高い場合、ＮＤＢ−ＳＣ数を増やす。サブキャリア制御部１０では、ピーク電力がＰｔｈｒ以下になるまで、ＮＤＢ−ＳＣ数の増加に係る処理が繰り返し行われる。
【００２４】
図２は、本実施形態による無線通信装置（送信機）の動作を説明するためのフローチャートである。但し、ＮＤＢ−ＳＣ数をｋとする。まず、サブキャリア識別器１０−２は、ＮＤＢ−ＳＣ数をｋ＝Ｋに初期化し（ステップＳａ１）、ＣＩＮＲが低いｋ個のサブキャリアをＮＤＢ−ＳＣとして選択し（ステップＳａ２）、ピーク抑圧信号を推定する（ステップＳａ３）。
【００２５】
ここで、ピーク抑圧信号の推定とは、まず、サブキャリア識別器１０−２において、各サブキャリアのＣＩＮＲに基づいて、ＮＤＢ−ＳＣを挿入するサブキャリア数、サブキャリア位置、及びデータレートを補正するサブキャリア位置を決定し、適応変調器１０−１で、サブキャリア識別器１０−２から指定されたサブキャリアにおいて情報ビットの適応変調を行い、ピーク抑圧信号生成器１０−３で、ＮＤＢ−ＳＣのサブキャリア数及びサブキャリア位置、並びに、適応変調器１０−１による適応変調の結果の変調信号に基づいて、ＮＤＢ−ＳＣに挿入するピーク抑圧信号を生成することを意味する。
【００２６】
そのピーク抑圧信号生成器１０−３から出力されるピーク抑圧信号は、適応変調器１０−１から出力される各サブキャリアの変調信号に対し、ＮＤＢ−ＳＣ挿入部１０−４においてＮＤＢ−ＳＣ位置に挿入される。該挿入後の各サブキャリアの信号は、直並列変換器１１で、シリアル／パラレル変換され、逆高速フーリエ変換器１２で逆離散フーリエ変換（ＩＦＦＴ）される（ステップＳａ４）。その後、並直列変換器１３で、パラレル／シリアル変換し、ピーク判定部１４で、ＩＦＦＴ後の信号のピーク電力Ｐを計算し（ステップＳａ５）、該ピーク電力Ｐをサブキャリア識別器１０−２に供給する。
【００２７】
サブキャリア識別器１０−２では、ピーク電力Ｐが所望のピーク電力Ｐｔｈｒ以下であるか否かを判定し（ステップＳａ６）、ピーク電力Ｐが所望のピーク電力Ｐｔｈｒよりも大きい場合（ステップＳａ６のＮＯ）、ＮＤＢ−ＳＣ数ｋを「１」だけ増し（ステップＳａ７）、ステップＳａ２に戻る。すなわち、ピーク電力Ｐが所望のピーク電力Ｐｔｈｒよりも大きい場合には、サブキャリア制御部１０において、上述した処理、すなわち、ステップＳａ１〜Ｓａ７を繰り返し実行する。そして、ピーク電力Ｐが所望のピーク電力Ｐｔｈｒ以下になると（ステップＳａ６のＹＥＳ）、当該処理を終了する。
【００２８】
本実施形態では、データレートの補正法として、以下の２つの基準、データレート固定、及びデータレート最適化を想定している。
【００２９】
［データレート固定］
まず、データレート固定では、ＮＤＢ−ＳＣにおいて送信することのできないビット数分をＣＩＮＲの高いサブキャリアから順に変調多値数を増加させることで補う。
【００３０】
図３は、本実施形態による、データレート固定を適用した場合の動作を説明するためのフローチャートである。同図において、Ｎは全サブキャリア数を表し、ＣＩＮＲが高い順からインデックスｉを用いてサブキャリアを表す。また、Ｓｂｉｔは増加させるビット数の合計を表す。
【００３１】
まず、ＮＤＢ−ＳＣを用いることにより、低下する送信ビット数ＮｂｉｔをＮｂｉｔ＝ｋＭにより計算する（ステップＳｂ１）。但し、Ｍは、データ伝送を行うサブキャリアで共通の変調多値数を表す。次に、インデックスｉを「１」に初期化し（ステップＳｂ２）、第ｉ番目にＣＩＮＲの高いサブキャリアにおいて所望のビット誤り率を満たす、最大の変調多値数を選択し（ステップＳｂ３）、増加させる送信ビット数の合計Ｓｂｉｔを計算する（ステップＳｂ４）。なお、ステップＳｂ４の計算式の右辺第１項は、第ｉ番目にＣＩＮＲが大きいサブキャリアにおいて所望のビット誤り率を満たす最大の変調多値数を表す。
【００３２】
次に、送信ビット数の合計Ｓｂｉｔが送信ビット数Ｎｂｉｔ以上であるか否かを判定し（ステップＳｂ５）、送信ビット数の合計Ｓｂｉｔが送信ビット数Ｎｂｉｔ以上でなければ、ｉがＮ−ｋ以上であるか否か、すなわち、全サブキャリアに対して処理を行ったか否かを判定する（ステップＳｂ６）。そして、全サブキャリアに対して処理を行っていなければ（ステップＳｂ６のＹＥＳ）、インデックスｉを「１」だけインクリメントし（ステップＳｂ７）、ステップＳｂ３に戻り、上述した処理を繰り返す。
【００３３】
すなわち、ＣＩＮＲの高いサブキャリアから順次、所望のビット誤り率を満たす最大の変調多値数まで多値数を増加させる。この処理は、増加させるビット数の合計Ｓｂｉｔが送信ビット数Ｎｂｉｔになるか（ステップＳｂ５でＹＥＳ）、もしくはＮＤＢ−ＳＣ以外の全サブキャリアに関して試行するまで（ステップＳｂ６でＮＯ）行われる。
【００３４】
［データレート最適化］
データレート最適化では、全てのデータサブキャリア（ＮＤＢ−ＳＣ、及びパイロットサブキャリア）以外のサブキャリアにおいて適応変調を行う。この基準は、サブキャリア適応変調を用いるＯＦＤＭ方式においてピーク電力を低減する手法であると捉えることができる。ピーク電力の抑圧信号は、ＣＩＮＲが低いｋ個のサブキャリアにおいて、前述した非特許文献１、もしくは、非特許文献２と同様の手法で生成する。
【００３５】
［簡略型サブキャリア制御］
上記手法の処理量を軽減するための手法として、以下の簡略型の手法が適用できる。
【００３６】
（Ａ）ＮＤＢ−ＳＣ数固定
上述した制御方式では、ＮＤＢ−ＳＣ数を適応的に変化させるための繰り返し処理が必要となる。そのため、ＮＤＢ−ＳＣ数を固定値に設定し、ＮＤＢ−ＳＣ位置のみを適応的に変化させる。
【００３７】
図４は、本実施形態による、ＮＤＢ−ＳＣ数固定方式の動作を説明するためのフローチャートである。まず、サブキャリア識別器１０−２は、ＮＤＢ−ＳＣ数をｋ＝Ｋに初期化し（ステップＳｃ１）、ＣＩＮＲが低いｋ個のサブキャリアを、ＮＤＢ−ＳＣとして選択し（ステップＳｃ２）、ＮＤＢ−ＳＣ以外のサブキャリアにおける適応変調によりデータレートを補償し（ステップＳｃ３）、ピーク抑圧信号を推定する（ステップＳｃ４）。
【００３８】
すなわち、サブキャリア識別器１０−２において、各サブキャリアのＣＩＮＲに基づいて、サブキャリア位置、及びデータレートを補正するサブキャリア位置を決定し、適応変調器１０−１で、ＮＤＢ−ＳＣ以外のサブキャリアにおける適応変調によりデータレートを補償し、ピーク抑圧信号生成器１０−３で、挿入するピーク抑圧信号を生成する。その後、直並列変換器１１で、シリアル／パラレル変換し、逆高速フーリエ変換器１２で逆高速フーリエ変換する（ステップＳｃ５）。
【００３９】
この場合、図４に示すように、繰り返し処理を行わないため、処理量が大幅に低減できるが、冗長にＮＤＢ−ＳＣを用いる必要があるか、もしくは、所望のピーク電力値に収まらない可能性がある。
【００４０】
（Ｂ）ＮＤＢ−ＳＣのブロック化
上述した（Ａ）ＮＤＢ−ＳＣ数固定をさらに簡略化するために、ＮＤＢ−ＳＣのブロック化では、サブキャリア制御部１０は、ＮＤＢ−ＳＣをブロック化し、ブロック位置を適応的に選択する。ＮＤＢ−ＳＣ数は固定である。ブロック数ｂは、処理量と自由度によるデータレート損失の低減量とのトレードオフを考慮しながら決定する。また、各ブロックのブロック長は可変とし、合計ＮＤＢ−ＳＣ数が固定となるように決定する。
【００４１】
図５は、本実施形態による、ＮＤＢ−ＳＣのブロック化を適用した場合の動作を説明するためのフローチャートである。まず、サブキャリア識別器１０−２は、ＣＩＮＲが低いｂ個のサブキャリアブロックを、ＮＤＢ−ＳＣブロックとして選択し（ステップＳｄ１）、ＮＤＢ−ＳＣ以外のサブキャリアにおける適応変調によりデータレートを補償し（ステップＳｄ２）、ピーク抑圧信号を推定する（ステップＳｄ３）。
【００４２】
すなわち、サブキャリア識別器１０−２において、各サブキャリアのＣＩＮＲに基づいて、ＣＩＮＲが低いｂ個のサブキャリアブロックを、ＮＤＢ−ＳＣブロックとして選択し、適応変調器１０−１で、ＮＤＢ−ＳＣ以外のサブキャリアにおける適応変調によりデータレートを補償し、ピーク抑圧信号生成器１０−３で、挿入するピーク抑圧信号を生成する。その後、直並列変換器１１で、シリアル／パラレル変換し、逆高速フーリエ変換器１２で逆高速フーリエ変換する（ステップＳｄ４）。
【００４３】
上述したＮＤＢ−ＳＣのブロック化によれば、ブロック数を「１」とした場合、１つのブロック位置を選択すればよいので、より処理量を低減することができる。
【００４４】
次に、図６は、本実施形態による送信機に対応する受信機の構成を示すブロック図である。受信機は、ＧＩ除去部２０、直並列変換器２１、高速フーリエ変換器２２、ＣＩＮＲ計算部２３、ＮＤＢ−ＳＣ除去部２４、及び並直列変換器２５を有する。
【００４５】
受信信号は、従来のＯＦＤＭ受信機と同様に、ＧＩ除去部２０でガードインターバルが除去され、直並列変換器２１でシリアル／パラレル変換され、高速フーリエ変換器２２で高速フーリエ変換（ＦＦＴ）される。ＦＦＴ後、ＣＩＮＲ部２３で、各サブキャリアのＣＩＮＲを計算し、ＮＤＢ−ＳＣ除去部２４で、所定のＮＤＢ−ＳＣ数分だけ、ＣＩＮＲが低いサブキャリアを除去することにより、データサブキャリアを抽出する。但し、ＮＤＢ−ＳＣ数が図２に示す場合のように固定でない場合には、送信機から受信機にＮＤＢ−ＳＣ数を通知する何らかの機能があるものとする。その後、並直列変換器２５で、抽出されたサブキャリアの信号を直列化した後、復調する。
【００４６】
上述した実施形態によれば、ＮＤＢ−ＳＣを用いるＯＦＤＭ送信機において、従来技術の問題点であったデータレートの低下を抑えることができる。また、サブキャリア適応変調を用いるＯＦＤＭ方式と親和性の高いピーク電力削減方式であり、同時に用いた場合に、効率的にピーク電力を所望の値に抑えつつデータレートの最適化を行うことができる。
【００４７】
なお、本発明は、ＯＦＤＭＡ（Orthogonal Frequency Division Multiple Access：直交周波数分割多元接続）方式および、より一般化された形態のマルチキャリア方式にも適用することができる。
【符号の説明】
【００４８】
１０…サブキャリア制御部、１０−１…適応変調器、１０−２…サブキャリア識別器、１０−３…ピーク抑圧信号生成器、１０−４…ＮＤＢ−ＳＣ挿入部、１１…直並列変換器、１２…逆高速フーリエ変換器、１３…並直列変換器、１４…ピーク判定部、１５…ＧＩ挿入部、２０…ＧＩ除去部、２１…直並列変換器、２２…高速フーリエ変換器、２３…ＣＩＮＲ計算部、２４…ＮＤＢ−ＳＣ除去部、２５…並直列変換器
【図１】
2010171738.tif 000003
【図２】
2010171738.tif 000004
【図３】
2010171738.tif 000005
【図４】
2010171738.tif 000006
【図５】
2010171738.tif 000007
【図６】
2010171738.tif 000008
【図７】
2010171738.tif 000009
【図８】
2010171738.tif 000010